(57)【要約】  本発明に係るインバータ制御装置（１００）は、交流電源から供給される交流電流である第１の交流電流を直流電流に変換するコンバータ部（３１）と、第１の交流電流の電流値である第１の電流値を検出する第１の電流検出部（１１）と、直流電流を第２の交流電流に変換し、第２の交流電流を、冷媒を圧縮する圧縮機へ印加するインバータ部（３２）と、第２の交流電流の電流値である第２の電流値を検出する第２の電流検出部（３３）と、インバータ部（３２）を制御する制御部（３５）と、を備え、制御部（３５）は、第１の電流値、第２の電流値、圧縮機の運転周波数、および圧縮機が運転中または停止中であるかを示す圧縮機運転情報を用いて、第１の電流値の検出過程において異常が生じているか否かを判定する異常判定処理を行う。
2019155527.tif 000002
【特許請求の範囲】
【請求項１】
交流電源から供給される交流電流である第１の交流電流を直流電流に変換するコンバータ部と、
前記第１の交流電流の電流値である第１の電流値を検出する第１の電流検出部と、
前記直流電流を第２の交流電流に変換し、前記第２の交流電流を、冷媒を圧縮する圧縮機へ印加するインバータ部と、
前記第２の交流電流の電流値である第２の電流値を検出する第２の電流検出部と、
前記インバータ部を制御する制御部と、
を備え、
前記制御部は、前記第１の電流値、前記第２の電流値、前記圧縮機の運転周波数、および前記圧縮機が運転中または停止中であるかを示す圧縮機運転情報を用いて、前記第１の電流値の検出過程において異常が生じているか否かを判定する異常判定処理を行うインバータ制御装置。
【請求項２】
前記制御部は、
前記第１の電流値が第１の電流しきい値以下、かつ前記第２の電流値が圧縮機電流しきい値以上、かつ前記圧縮機の運転周波数が運転周波数しきい値以上、かつ前記圧縮機が運転中の場合、前記第１の電流値の検出過程において異常が生じていると判定する請求項１に記載のインバータ制御装置。
【請求項３】
前記制御部は、
前記異常判定処理後、
前記第１の電流値の検出過程において異常が生じていない状態である正常状態と、前記第１の電流値の検出過程において異常が生じていると確定する異常確定状態と、前記第１の電流値の検出過程において異常が生じていると確定しない異常猶予状態と、のいずれかに遷移する状態遷移処理を行う請求項１または２に記載のインバータ制御装置。
【請求項４】
前記制御部は、
前記状態遷移処理後、
前記正常状態では、再度前記異常判定処理を実施させる正常処理を、
前記異常確定状態では、前記圧縮機を停止させ、前記圧縮機を再起動させない異常確定処理を、
前記異常猶予状態では、前記圧縮機を停止させ、前記圧縮機を再起動させ、再度前記異常判定処理を実施させる異常猶予処理を実施する請求項３に記載のインバータ制御装置。
【請求項５】
前記制御部は、
前記異常判定処理、前記正常処理、前記異常猶予処理、および異常確定処理で、前記第１の電流値の検出過程において異常が生じているか否かを、タイマを用いて判定するタイマ処理を実施する請求項４に記載のインバータ制御装置。
【請求項６】
前記第１の電流値を伝達する第１のコネクタと、
前記第１の電流値を前記第１のコネクタから取得し、前記第１の電流値を前記制御部に伝達する第２のコネクタと、
前記第１のコネクタと前記第２のコネクタとを接続する接続線と、
を備え、
前記第１の電流検出部および前記第１のコネクタは、第１の基板に備えられ、
前記インバータ部、前記制御部、および前記第２のコネクタは、第２の基板に備えられる請求項１から５のいずれか１つに記載のインバータ制御装置。
【発明の詳細な説明】
【技術分野】
【０００１】
本発明は、空気調和機の圧縮機を駆動させるインバータ制御装置に関する。
【背景技術】
【０００２】
空気調和機のインバータ制御装置は、交流電源から供給される三相の交流電力を用いて圧縮機を駆動させる。インバータ制御装置は、交流電源から供給される交流電力に欠相がある場合、交流電力が正しく算出されず圧縮機の昇圧が正しくされなくなり、圧縮機の脱調および過電流遮断停止などが発生するため、異常と判定して圧縮機を停止させる必要がある。特許文献１は、三相交流電源から入力される交流電力の欠相を検出するインバータ制御装置を開示する。
【先行技術文献】
【特許文献】
【０００３】
【特許文献１】特開２００８−１０１８６０号公報
【発明の概要】
【発明が解決しようとする課題】
【０００４】
しかしながら、従来のインバータ制御装置では、一次電流の検出過程に異常が生じると、一次電流が正しく検出されない場合がある。一次電流の検出過程が異常である状態で、制御部が圧縮機の制御を続けると、圧縮機は脱調および過電流遮断停止などが発生する可能性がある。このため、インバータ制御装置は、一次電流の検出過程における異常を検出できることが望ましい。【０００５】
本発明は、上記に鑑みてなされたものであって、一次電流の検出過程における異常を検出可能なインバータ制御装置を得ることを目的とする。
【課題を解決するための手段】
【０００６】
上述した課題を解決し、目的を達成するために、本発明に係るインバータ制御装置は、交流電源から供給される交流電流である第１の交流電流を直流電流に変換するコンバータ部と、第１の交流電流の電流値である第１の電流値を検出する第１の電流検出部と、直流電流を第２の交流電流に変換し、第２の交流電流を、冷媒を圧縮する圧縮機へ印加するインバータ部と、第２の交流電流の電流値である第２の電流値を検出する第２の電流検出部と、インバータ部を制御する制御部と、を備え、制御部は、第１の電流値、第２の電流値、圧縮機の運転周波数、および圧縮機が運転中または停止中であるかを示す圧縮機運転情報を用いて、第１の電流値の検出過程において異常が生じているか否かを判定する異常判定処理を行う。
【発明の効果】
【０００７】
本発明に係るインバータ制御装置は、一次電流の検出過程における異常を検出可能なインバータ制御装置を得ることができるという効果を奏する。
【図面の簡単な説明】
【０００８】
【図１】実施の形態におけるインバータ制御装置を示す図
【図２】実施の形態における制御部の機能ブロックを示す図
【図３】実施の形態にかかる制御回路の構成例を示す図
【図４】実施の形態における制御処理に関する状態の遷移を示す図
【図５】実施の形態における制御処理の流れを簡略化して示したフローチャート
【図６】実施の形態における正常状態時のタイマ動作を示す図
【図７】実施の形態における異常確定状態時および異常猶予状態時のタイマ動作を示す図
【図８】実施の形態における制御処理の流れを詳細に示したフローチャート
【発明を実施するための形態】
【０００９】
以下に、本発明の実施の形態に係るインバータ制御装置を図面に基づいて詳細に説明する。なお、この実施の形態により本発明が限定されるものではない。
【００１０】
実施の形態．
図１は、本発明の実施の形態におけるインバータ制御装置を示す図である。インバータ制御装置１００は、ノイズフィルタ基板１０と、リアクタ２０と、インバータ制御基板３０と、接続線５０と、を備える。ノイズフィルタ基板１０は第１の基板とも呼ばれる。インバータ制御基板３０は、第２の基板とも呼ばれる。
【００１１】
ノイズフィルタ基板１０は、１枚あたりの基板サイズの縮小化、および電磁両立性の強化のためにインバータ制御基板３０と分離して配置される。また、ノイズフィルタ基板１０は、交流電源１から供給される交流電流のノイズを除去する。交流電源１から供給される交流電流を第１の交流電流とも呼ぶ。ノイズフィルタ基板１０上には、カレントトランス１１と、第１のコネクタ１２とが備えられる。カレントトランス１１は、交流電源１より供給される交流電力の一次電流の電流値である一次電流情報を検出する。本実施の形態では、カレントトランス１１が一次電流情報を検出するが、一次電流情報を検出できれば、カレントトランス１１に限定されない。一次電流の電流値を検出する機能部は、第１の電流検出部とも呼ばれる。一次電流の電流値は、第１の電流値とも呼ばれる。第１のコネクタ１２は、接続線５０によってインバータ制御基板３０上に備えられる第２のコネクタ３４と接続し、カレントトランス１１が検出した一次電流情報を制御部３５へ伝達する。
【００１２】
リアクタ２０は、ノイズフィルタ基板１０とインバータ制御基板３０との間に配置され、ノイズフィルタ基板１０からインバータ制御基板３０へ、瞬間的な大電流が流れることを抑制する。
【００１３】
インバータ制御基板３０は、圧縮機４０の制御を行うための基板である。インバータ制御基板３０上には、コンバータ部３１と、インバータ部３２と、電流検出部３３と、第２のコネクタ３４と、制御部３５とが備えられる。コンバータ部３１は、ノイズフィルタ基板１０から供給された交流電流を直流電流に変換する。インバータ部３２は、コンバータ部３１が変換した直流電流を、圧縮機４０を駆動させるための三相交流電流に変換し、圧縮機４０へ印加する。圧縮機４０を駆動させるための三相交流電流は、第２の交流電流とも呼ばれる。インバータ部３２が出力する圧縮機４０を駆動させるための三相交流電流の電流値は、第２の電流値とも呼ばれる。電流検出部３３は、インバータ部３２から圧縮機４０へ流れる三相電流のうち二相分の電流の電流値を検出する。電流検出部３３は第２の電流検出部とも呼ばれる。なお、電流検出部３３は、圧縮機４０の三相分の電流をそれぞれ検出しても良い。または、電流検出部３３は、圧縮機４０の三相分の電流を合成した直流電流を検出する方式を用いても良く、電流検出方法に限定されない。第２のコネクタ３４は、接続線５０によって第１のコネクタ１２と接続され、第１のコネクタ１２から取得した一次電流情報を制御部３５へ入力する。制御部３５は、コンバータ部３１からインバータ部３２へ印加する電圧を制御する。制御部３５は、一次電流情報を基に、インバータ部３２を構成するスイッチング素子のオンまたはオフを制御するＰＷＭ（Pulse  Width  Modulation）信号を生成し、ＰＷＭ信号をインバータ部３２へ印加することによりインバータ部３２を制御する。また制御部３５は、圧縮機４０の脱調、過電流遮断停止などを防止するため、一次電流情報から得られる一次電流の電流値がしきい値以上に増加したとき、インバータ部３２を制御し、脱調および過電流遮断しないよう保護制御を実施する。圧縮機４０は、冷媒を圧縮し、圧縮した冷媒を図示しない熱交換器で熱交換させる。
【００１４】
図２は、実施の形態における制御部３５の機能ブロックを示す図である。制御部３５は、判定処理部３５１と、記憶部３５２と、信号制御部３５３とを備える。判定処理部３５１は、一次電流情報と、圧縮機電流情報と、圧縮機運転周波数と、圧縮機運転情報と、記憶部３５２に記憶されている異常判定データと、を用いて制御処理を行う。制御処理は、伝達経路の障害、またはカレントトランス１１の故障などによって制御部３５が取得する一次電流の検出過程に異常が発生しているかを判定し、判定の結果によりインバータ制御装置１００を制御する処理である。伝達経路とは、第１のコネクタ１２、第２のコネクタ３４、および第１のコネクタ１２と第２のコネクタ３４とを接続する接続線５０が形成する、カレントトランス１１から制御部３５へ一次電流情報が伝達される経路である。圧縮機電流情報は、電流検出部３３が検出した、インバータ部３２から圧縮機４０に流れる電流の電流値の情報である。圧縮機運転周波数は、インバータ部３２が出力する、圧縮機４０を駆動させる駆動指令値から得られる情報である。圧縮機運転情報は、圧縮機４０の運転状態の情報であり、圧縮機４０が運転または停止していることを示す情報である。
【００１５】
記憶部３５２は、異常判定データである一次電流しきい値、圧縮機電流しきい値、周波数しきい値、第１の時間しきい値、第２の時間しきい値、および判定猶予回数を保持する。一次電流しきい値、圧縮機電流しきい値、周波数しきい値、第１の時間しきい値、第２の時間しきい値、および判定猶予回数は、一次電流の検出過程の異常状態を判定するために使用する。また、記憶部３５２は、一次電流の検出過程が異常状態であると判定し、異常確定状態へと移行した回数を異常発生回数として保持する。
【００１６】
記憶部３５２に保持されている周波数しきい値、圧縮機電流しきい値、一次電流しきい値、第１の時間しきい値、第２の時間しきい値、および判定猶予回数は、インバータ制御装置１００および圧縮機４０を運転し、運転時の性能を確認した上で、インバータ制御装置１００での取得情報に応じたしきい値がそれぞれ設定される。
【００１７】
記憶部３５２は、異常判定カウンタを備える。異常判定カウンタとは、制御部３５へ書き込まれる制御プログラムにおいて、制御処理に使用するためのデータである。また、記憶部３５２は、制御処理のために使用される経過時間をカウントするタイマである異常状態タイマおよび正常状態タイマを備える。異常状態タイマは、一次電流の検出過程が異常状態であるかを判定するためのタイマである。正常状態タイマは、一次電流の検出過程が正常状態であるかを判定するためのタイマである。異常状態タイマおよび正常状態タイマは、異常状態または正常状態を判定するための時間のしきい値が設定されており、このしきい値を用いることで、一次電流の検出過程が異常状態または正常状態であることを判定する。
【００１８】
信号制御部３５３は、判定処理部３５１の異常判定に基づきＰＷＭ信号を出力するか否かを制御することで、異常状態を検知した時に、インバータ部３２を制御する。
【００１９】
実施の形態にかかる判定処理部３５１、記憶部３５２、および信号制御部３５３のハードウェア構成について説明する。判定処理部３５１および信号制御部３５３は、各処理を行う電子回路である処理回路により実現される。
【００２０】
本処理回路は、専用のハードウェアであっても、メモリ及びメモリに格納されるプログラムを実行するＣＰＵ（Central  Processing  Unit、中央演算装置）を備える制御回路であってもよい。ここでメモリとは、例えば、ＲＡＭ（Random  Access  Memory）、ＲＯＭ（Read  Only  Memory）、フラッシュメモリなどの、不揮発性または揮発性の半導体メモリ、磁気ディスク、光ディスクなどが該当する。本処理回路がＣＰＵを備える制御回路である場合、この制御回路は例えば、図３に示す構成の制御回路２００となる。
【００２１】
図３に示すように、制御回路２００は、ＣＰＵであるプロセッサ２００ａと、メモリ２００ｂとを備える。図３に示す制御回路２００により実現される場合、プロセッサ２００ａがメモリ２００ｂに記憶された、各処理に対応するプログラムを読みだして実行することにより実現される。また、メモリ２００ｂは、プロセッサ２００ａが実施する各処理における一時メモリとしても使用される。
【００２２】
本処理回路が、専用のハードウェアである場合、処理回路は、例えば、ＡＳＩＣ（Application  Specific  Integrated  Circuit）、ＦＰＧＡ（Field  Programmable  Gate  Array）、またはこれらを組み合わせたものである。
【００２３】
記憶部３５２は、ＲＯＭ、フラッシュメモリなどの不揮発性のメモリである。
【００２４】
実施の形態に係るインバータ制御装置１００の制御のフローチャートについて説明する。
【００２５】
図４は、実施の形態における制御処理に関する状態の遷移を示す図である。インバータ制御装置１００は、正常状態と、異常猶予状態と、異常確定状態と、の３つの制御状態間を遷移することができる。正常状態とは、一次電流の検出過程において異常が生じていない状態である。異常猶予状態は、一次電流の検出過程が異常していることを確認したが、一次電流の検出過程において異常が生じていると確定しない状態である。異常確定状態とは、一次電流の検出過程において異常が生じていると確定する状態である。なお、状態遷移の処理の詳細に関しては後述する。
【００２６】
インバータ制御装置１００の運転開始時は、初期状態として正常状態に設定される。インバータ制御装置１００は、制御処理により一次電流の検出過程が異常状態と判定されると異常猶予状態へ遷移する。異常猶予状態において、インバータ制御装置１００は、正常状態へ遷移することが可能である。また、インバータ制御装置１００が異常猶予状態の時に、異常状態を確定とする設定条件を満たした場合、インバータ制御装置１００は、異常確定状態へ遷移する。インバータ制御装置１００は、一度異常確定状態へ遷移すると、異常確定状態を解除する条件を満たさない限り、圧縮機４０の運転を復帰することができない。この異常確定状態の解除条件は、電源切断後の電力再投入、または室内機からの異常解除信号の受信時としている。
【００２７】
制御処理に異常猶予状態を設けることで、判定処理部３５１が瞬間的または偶発的に一次電流の検出過程の異常を検知したときでも、その後正常状態であると判定するため、圧縮機４０の運転を継続させることができる。このため、製品使用時の快適性向上につながる。また、異常猶予状態を設けている状況でも異常状態が確定していると判定した場合は、圧縮機４０の運転を停止、および運転を再開させないよう制御することで、インバータ制御装置１００の製品寿命および安全性の向上につながる。
【００２８】
図５は、実施の形態における制御処理の流れを簡略化して示したフローチャートである。制御処理は、異常判定処理と、状態遷移処理と、異常確定処理と、異常猶予処理と、正常処理と、で構成される。また、異常判定処理と、異常確定処理と、異常猶予処理と、正常処理とでは、一次電流の検出過程の異常状態を時間経過によって判定するためタイマ処理を実施する。
【００２９】
判定処理部３５１は、取得情報を基に異常判定処理を実施する（ステップＳ１）。取得情報とは、一次電流情報、圧縮機電流情報、圧縮機運転周波数、圧縮機運転情報、一次電流しきい値、圧縮機電流しきい値、周波数しきい値である。異常判定処理とは、一次電流の検出過程において異常が生じているか否かを判定する処理である。
【００３０】
判定処理部３５１は、異常判定処理の後、状態遷移処理を行う（ステップＳ２）。状態遷移処理は、記憶部３５２に記憶される第１の時間しきい値と、第２の時間しきい値と、異常判定カウンタと、判定猶予回数と、を用いる。判定処理部３５１は、状態遷移処理によって遷移する状態に基づき、正常処理（ステップＳ３）、異常猶予処理（ステップＳ４）、または異常確定処理（ステップＳ５）の各処理を行う。正常処理は、インバータ制御装置１００が正常状態である時に実施される処理である。異常猶予処理は、インバータ制御装置１００が異常猶予状態である時に実施される処理である。異常確定処理は、インバータ制御装置１００が異常確定状態である時に実施される処理である。
【００３１】
次に、実施形態に係るタイマ処理の動作について説明する。タイマ処理は、異常判定処理と、正常処理と、異常猶予処理と、異常確定処理との中で実行され、一次電流の検出過程が異常状態であるか正常状態であるかを異常状態タイマと正常状態タイマと第１の時間しきい値と第２の時間しきい値とを用いて判定する。タイマ処理には、第１のタイマ処理と、第２のタイマ処理と、第３のタイマ処理と、第４のタイマ処理と、第５のタイマ処理と、第６のタイマ処理と、が存在する。各タイマ処理では、異常状態タイマおよび正常状態タイマの増加または、タイマのクリアが行われる。異常状態タイマが第１の時間しきい値以上になると、一次電流の検出過程が異常状態であると判定される。正常状態タイマが第２の時間しきい値以上になると、一次電流の検出過程が正常状態であると判定される。
【００３２】
図６は、実施の形態における正常状態時のタイマ動作を示す図である。第１のタイマ処理は、異常状態タイマおよび正常状態タイマともに、値の増加を停止する。第２のタイマ処理は、正常状態タイマの値を増加させ、異常状態タイマの値の増加を停止する。第４のタイマ処理は、異常状態タイマおよび正常状態タイマともにタイマの値を０にクリアし、値の増加を停止させる。
【００３３】
図７は、実施の形態における異常確定状態時および異常猶予状態時のタイマ動作を示す図である。第３のタイマ処理は、正常状態タイマの値を０にクリアし、正常状態タイマの値の増加を停止させ、異常状態タイマの値の増加を開始する。第５のタイマ処理は、異常状態タイマの値を０にクリアした後、圧縮機４０の運転開始に伴い異常状態のタイマの値を増加させる。また、正常状態タイマの値が０にクリアされる。第６のタイマ処理は、異常状態タイマおよび正常状態タイマともにタイマの値を０にクリアし、値の増加を停止させる。
【００３４】
図８は、実施の形態における制御処理の流れを詳細に示したフローチャートである。なお、各ステップに付される数字は、図５と対応しており、例えば、ステップＳ１−１は、図５のステップＳ１の異常判定処理に含まれる処理である。
【００３５】
判定処理部３５１は、取得情報を取得し、圧縮機運転情報から、圧縮機４０が運転中または停止中であるかを判定する（ステップＳ１−１）。圧縮機４０が停止状態である場合（ステップＳ１−１，Ｎｏ）、判定処理部３５１は、第１のタイマ処理を実行する（ステップＳ１−５）。この後、制御処理は、ステップＳ２−１へ移行する。圧縮機４０が運転中である場合（ステップＳ１−１，Ｙｅｓ）、判定処理部３５１は、圧縮機運転周波数と、周波数しきい値とを比較する（ステップＳ１−２）。ステップＳ１−１において、判定処理部３５１が圧縮機４０の運転の有無を確認しているのは、圧縮機４０が運転していない場合は異常状態であったとしても、製品快適性、製品寿命、および安全性に影響しないためである。
【００３６】
圧縮機運転周波数が周波数しきい値未満である場合（ステップＳ１−２，Ｎｏ）、判定処理部３５１は、第２のタイマ処理を実施し（ステップＳ１−６）、この後、制御処理は、ステップＳ２−１へ移行する。圧縮機運転周波数が周波数しきい値以上である場合（ステップＳ１−２，Ｙｅｓ）、判定処理部３５１は、圧縮機電流情報から得られる圧縮機電流値と、圧縮機電流しきい値とを比較する（ステップＳ１−３）。
【００３７】
圧縮機電流値が、圧縮機電流しきい値未満である場合（ステップＳ１−３，Ｎｏ）、判定処理部３５１は、第２のタイマ処理を実行し（ステップＳ１−６）、この後、制御処理は、ステップＳ２−１へ移行する。圧縮機電流値が、圧縮機電流しきい値以上である場合（ステップＳ１−３，Ｙｅｓ）、判定処理部３５１は、一次電流情報から得られる一次電流値と、一次電流しきい値とを比較する（ステップＳ１−４）。ここで、一次電流値と一次電流しきい値とを比較しているのは、一次電流値が一次電流しきい値以下の場合には、一次電流の検出過程において異常が生じている可能性が高いためである。したがって、本実施の形態では、一次電流値が一次電流しきい値以下であるか否かを一次電流の検出過程において異常が生じているか否かの判定に用いている。しかしながら、圧縮機４０の運転負荷が軽い場合は、一次電流自体が小さくなることにより、一次電流の検出過程が、実際には正常であっても異常と判定される可能性がある。このため、一次電流が一次電流しきい値以下の場合の誤判定を抑制するために、圧縮機運転周波数および圧縮機電流値を用いて一次電流の検出過程において異常が生じているか否かの判定を行っている。
【００３８】
一次電流値が一次電流しきい値より大きい場合（ステップＳ１−４，Ｎｏ）、判定処理部３５１は、第２のタイマ処理を実行し（ステップＳ１−６）、この後、制御処理は、ステップＳ２−１へ移行する。一次電流値が一次電流しきい値以下の場合（ステップＳ１−４，Ｙｅｓ）、第３のタイマ処理を実行し（ステップＳ１−７）、この後、制御処理は、ステップＳ２−１へ移行する。
【００３９】
異常判定処理の後、制御処理は、図５に記載の状態遷移処理（ステップＳ２）へと移行する。異常判定処理では、瞬間的な一次電流の検出過程の異常状態の判定であったが、状態遷移処理では、一次電流の検出過程の異常状態が継続しているか判定する。
【００４０】
判定処理部３５１は、異常状態タイマと第１の時間しきい値を比較する（ステップＳ２−１）。異常状態タイマが第１の時間しきい値以上の場合（ステップＳ２−１，Ｙｅｓ）、判定処理部３５１は、異常判定カウンタを更新する（ステップＳ２−２）。異常状態タイマが第１の時間しきい値未満である場合（ステップＳ２−１，Ｎｏ）、判定処理部３５１は、正常状態タイマと第２の時間しきい値とを比較する（ステップＳ２−４）。
【００４１】
異常判定カウンタの更新は、異常判定の回数として、異常判定カウンタへ１を加算する。この後、判定処理部３５１は、更新された異常判定カウンタと判定猶予回数とを比較する（ステップＳ２−３）。異常判定カウンタが判定猶予回数以上である場合（ステップＳ２−３，Ｙｅｓ）、制御処理は、異常確定処理へ移行する（ステップＳ５−１）。異常判定カウンタが判定猶予回数未満である場合（ステップＳ２−３，Ｎｏ）、制御処理は、異常猶予処理へ移行する（ステップＳ４−１）。なお、ステップ２−３では、異常状態であると判定された後のため、制御処理では正常処理へ移行する手段はない。
【００４２】
正常状態タイマが第２の時間しきい値未満である場合（ステップＳ２−４，Ｎｏ）、判定処理部３５１は、一次電流の検出過程が異常状態または正常状態のどちらであるか確定できないため、制御処理は、異常判定処理（ステップＳ１）へ移行し、再度、異常判定処理を実施する。正常状態タイマが第２の時間しきい値以上の場合（ステップＳ２−４，Ｙｅｓ）、判定処理部３５１は、一次電流の検出過程は正常状態であると判定し、制御処理は、正常処理へ移行する（ステップＳ３−１）。
【００４３】
正常処理へ移行した場合、判定処理部３５１は、正常状態が確定したと判定し、第４のタイマ処理（ステップＳ３−２）を実施する。この後、判定処理部３５１は、異常判定カウンタをクリアする（ステップＳ３−３）。
【００４４】
ステップＳ２−３の処理で、異常判定カウンタが判定猶予回数未満である場合（ステップＳ２−３，Ｎｏ）、本処理は異常猶予処理へ移行する（ステップＳ４−１）。判定処理部３５１は、ステップＳ２−１で異常状態と判定しているが、異常判定カウンタが判定猶予回数以上でないため、第５のタイマ処理を実施する（ステップＳ４−２）。この後、判定処理部３５１は、一度圧縮機４０の運転を停止させ、再起動させる（ステップＳ４−３）。この後、制御処理は、異常判定処理（ステップＳ１）へ移行し、再度、異常判定処理を実施する。再度、異常判定処理、および状態遷移処理で異常状態が継続し、異常判定カウンタが増加することにより、ステップＳ２−３の条件を満たす、すなわち異常判定カウンタが判定猶予回数以上である場合（ステップＳ２−３，Ｙｅｓ）には、制御処理は異常確定処理（ステップＳ５）へ移行する。再度の異常判定処理、および状態遷移処理で正常状態と判定されると、本処理は正常処理へ移行する。もしくは、再度の異常判定処理、および状態遷移処理で異常猶予状態と判定されると、異常判定カウンタが更新され、再度、異常判定処理へ移行する。
【００４５】
異常確定処理へ移行した場合（ステップＳ２−３，Ｙｅｓ）、判定処理部３５１は、一次電流の検出過程の異常状態が確定したと判定し、第６のタイマ処理を実施する（ステップＳ５−２）。この後、判定処理部３５１は、圧縮機４０を停止させる。また、判定処理部３５１は、圧縮機４０を再起動させないよう制限する（ステップＳ５−３）。判定処理部３５１は、異常判定カウンタをクリアする（ステップＳ５−４）。判定処理部３５１は、異常発生回数更新を行い、異常履歴として異常発生回数を１加算する（ステップＳ５−５）。また、判定処理部３５１は、室内機からも異常状態を判断できるようにするため、室内機へ異常通報を実施し（ステップＳ５−６）、この後、制御処理を終了する。
【００４６】
以上説明したように、本発明によれば、一次電流の検出過程の異常状態を判定でき、一次電流の検出過程が異常状態の場合、制御部３５は、圧縮機４０の運転を停止させることができる。これにより、圧縮機４０の運転保護およびブレーカー遮断防止とともに、インバータ制御基板３０上のコンデンサの保護に繋がるため、製品寿命の短縮を防ぎ、かつ製品安全性を向上できるという効果を有する。
【００４７】
また、本発明によれば、制御部３５において、複数のしきい値による異常判定処理、および異常判定の猶予期間を設けることができる状態遷移処理を行うことで、一次電流の検出過程の異常状態の誤検知による圧縮機４０の運転停止を防止する。また、一次電流の検出過程の異常状態が確定した場合は、異常履歴として記録することで、インバータ制御装置１００の不具合時の原因を把握することができる。また、制御部３５は、異常判定に用いるデータはデータベース等を使用しないため、設定値の数を少数に抑えることができデータ容量を少なくすることができる。このため、ソフトウェアを制御するためのデータ容量を確保することができる。
【００４８】
なお、本発明はノイズフィルタ基板１０とインバータ制御基板３０との二枚基板構成としているが、インバータ制御基板３０があれば、その他の基板はノイズフィルタ基板１０でなくてもよく、基板の種類は限定されない。また、カレントトランス１１などの一次電流の検出機器と制御部３５との間が、コネクタおよび接続線５０、または基板上のパターンといった伝達経路によって接続されていれば、複数枚基板構成または一枚基板構成においても本発明の実施が可能である。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１  交流電源、１０  ノイズフィルタ基板、１１  カレントトランス、１２  第１のコネクタ、２０  リアクタ、３０  インバータ制御基板、３１  コンバータ部、３２  インバータ部、３３  電流検出部、３４  第２のコネクタ、３５  制御部、４０  圧縮機、５０  接続線、１００  インバータ制御装置、２００  制御回路、２００ａ  プロセッサ、２００ｂ  メモリ、３５１  判定処理部、３５２  記憶部、３５３  信号制御部。
【図１】
2019155527.tif 000003
【図２】
2019155527.tif 000004
【図３】
2019155527.tif 000005
【図４】
2019155527.tif 000006
【図５】
2019155527.tif 000007
【図６】
2019155527.tif 000008
【図７】
2019155527.tif 000009
【図８】
2019155527.tif 000010
【手続補正書】
【提出日】令和2年2月14日(2020.2.14)
【手続補正１】
【補正対象書類名】特許請求の範囲
【補正対象項目名】全文
【補正方法】変更
【補正の内容】
【特許請求の範囲】
【請求項１】
交流電源から供給される交流電流である第１の交流電流を直流電流に変換するコンバータ部と、
前記第１の交流電流の電流値である第１の電流値を検出する第１の電流検出部と、
前記直流電流を第２の交流電流に変換し、前記第２の交流電流を、冷媒を圧縮する圧縮機へ印加するインバータ部と、
前記第２の交流電流の電流値である第２の電流値を検出する第２の電流検出部と、
前記インバータ部を制御する制御部と、
を備え、
前記制御部は、前記第１の電流値、前記第２の電流値、前記圧縮機の運転周波数、および前記圧縮機が運転中または停止中であるかを示す圧縮機運転情報を用いて、前記第１の電流値が第１の電流しきい値以下、かつ前記第２の電流値が圧縮機電流しきい値以上、かつ前記圧縮機の運転周波数が運転周波数しきい値以上、かつ前記圧縮機が運転中の場合、前記第１の電流値の検出過程において異常が生じていると判定する異常判定処理を行うインバータ制御装置。
【請求項２】
前記制御部は、
前記異常判定処理後、
前記第１の電流値の検出過程において異常が生じていない状態である正常状態と、前記第１の電流値の検出過程において異常が生じていると確定する異常確定状態と、前記第１の電流値の検出過程において異常が生じていると確定しない異常猶予状態と、のいずれかに遷移する状態遷移処理を行う請求項１に記載のインバータ制御装置。
【請求項３】
前記制御部は、
前記状態遷移処理後、
前記正常状態では、再度前記異常判定処理を実施させる正常処理を、
前記異常確定状態では、前記圧縮機を停止させ、前記圧縮機を再起動させない異常確定処理を、
前記異常猶予状態では、前記圧縮機を停止させ、前記圧縮機を再起動させ、再度前記異常判定処理を実施させる異常猶予処理を実施する請求項２に記載のインバータ制御装置。
【請求項４】
前記制御部は、
前記異常判定処理、前記正常処理、前記異常猶予処理、および異常確定処理で、前記第１の電流値の検出過程において異常が生じているか否かを、タイマを用いて判定するタイマ処理を実施する請求項３に記載のインバータ制御装置。
【請求項５】
前記第１の電流値を伝達する第１のコネクタと、
前記第１の電流値を前記第１のコネクタから取得し、前記第１の電流値を前記制御部に伝達する第２のコネクタと、
前記第１のコネクタと前記第２のコネクタとを接続する接続線と、
を備え、
前記第１の電流検出部および前記第１のコネクタは、第１の基板に備えられ、
前記インバータ部、前記制御部、および前記第２のコネクタは、第２の基板に備えられる請求項１から４のいずれか１つに記載のインバータ制御装置。
【手続補正２】
【補正対象書類名】明細書
【補正対象項目名】０００６
【補正方法】変更
【補正の内容】
【０００６】
上述した課題を解決し、目的を達成するために、本発明に係るインバータ制御装置は、交流電源から供給される交流電流である第１の交流電流を直流電流に変換するコンバータ部と、第１の交流電流の電流値である第１の電流値を検出する第１の電流検出部と、直流電流を第２の交流電流に変換し、第２の交流電流を、冷媒を圧縮する圧縮機へ印加するインバータ部と、第２の交流電流の電流値である第２の電流値を検出する第２の電流検出部と、インバータ部を制御する制御部と、を備え、制御部は、第１の電流値、第２の電流値、圧縮機の運転周波数、および圧縮機が運転中または停止中であるかを示す圧縮機運転情報を用いて、第１の電流値が第１の電流しきい値以下、かつ第２の電流値が圧縮機電流しきい値以上、かつ圧縮機の運転周波数が運転周波数しきい値以上、かつ圧縮機が運転中の場合、第１の電流値の検出過程において異常が生じていると判定する異常判定処理を行う。
【国際調査報告】
2019155527.tif 000011
2019155527.tif 000012
2019155527.tif 000013
2019155527.tif 000014